(57)【特許請求の範囲】
【請求項１】
広告番組の画像を表示する表示部と、前記広告番組の音声を出力する音声出力部と、提示番組用の画像データ、音声データを記録再生する手段と番組および番組表のデータを記録する手段と該番組表に沿って定時的に番組を提示する手段とを有する広告提示制御装置とで構成する広告提示装置と、
広告番組視聴者の反応を撮像し映像信号を出力する撮像部と、前記映像信号を所定の画像データに変換し記録する手段と、撮影時刻、装置Ｉ／Ｄ（装置属性）、視聴番組名夫々に対応する付加データを生成する手段と前記画像データおよび付加データを通信回線に送出する手段とを有する反応収集装置と、
前記画像データおよび付加データを前記通信回線経由して受信し記録する手段と、該記録した画像データおよび付加データを再生する手段と、前記付加データの撮影時刻、受信データの装置Ｉ／Ｄ、視聴番組名から検索入力操作を行う操作部と、前記再生された付加データより前記検索入力された装置Ｉ／Ｄ、番組名などと一致する受信データのみを判別出力する再生データ判別部と、前記判別出力された再生データに該当する付加データを重畳し、所定の形式で再生出力する手段とを有する広告効果分析装置とで構成することを特徴とする広告効果確認システム。
【請求項２】
前記通信回線経由で複数の前記反応収集装置から受信した画像データ、付加データなどは各々画像データメモリおよび付加データメモリに連続的に記録され、再生時には、操作部から検索入力された装置Ｉ／Ｄ、番組名などと一致する付加データに該当する受信データのみを選択的に出力することを特徴とする請求項１記載の広告効果確認システム。
【請求項３】
前記広告効果分析装置に、前記再生された画像データの人物輪郭の抽出など特徴画像の画像認識を行う画像認識部と、前記画像認識部が抽出する特徴画像の指定を行う特徴画像指定部と、前記抽出された特徴画像の数を計数する特徴画像計数部とを追加設置し、前記再生された画像データより特徴画像を認識出力し、該特徴画像の数を計数出力することを特徴とする請求項１記載の広告効果確認システム。
【発明の詳細な説明】
【０００１】
【本発明の技術分野】
遠隔地に設置され複数の広告提示装置における視聴者の反応を、通信回線経由で収集し、広告効果の確認を行うシステムの構築に係わる。
【０００２】
【従来の技術】
遠隔地に多数台設置され、画像と音声による広告番組を映像表示部と声出力部とで表示出力する広告提示装置を、通信回線経由でセンター装置より管理する広告システムがある。広告提供番組に対する視聴者の人数、世代、性別などの反応分析は、分析者が該装置の設置現場に行き直接観察するか、タイムラップスビデオ等に一旦記録して持ち帰り、複数のビデオテープを再生しながら、これらの分析を行っている。このため多数の箇所や多数の提示番組毎の分析には、多大な時間と労力を要し、且つタイムリーに分析が出来ないなどの問題点がある。
【０００３】
【発明が解決しようとする課題】
これらの問題点に鑑み、本発明は複数の広告提示装置に視聴者の反応を収集する装置を配備し、収集したデータを通信回線経由で分析装置に伝送記録し、該収集データを所定の形式で再生出力する広告効果確認システムの構築を目的とする。
【０００４】
【課題を解決するための手段】
広告番組の画像を表示する表示部と、前記広告番組の音声を出力する音声出力部と、提示番組用の画像データ、音声データを記録再生する手段と番組および番組表のデータを記録する手段と該番組表に沿って定時的に番組を提示する手段とを有する広告提示制御装置とで構成する広告提示装置と、広告番組視聴者の反応を撮像し映像信号を出力する撮像部と、前記映像信号を所定の画像データに変換し記録する手段と、撮影時刻、装置Ｉ／Ｄ（装置属性）、視聴番組名の夫々に対応する付加データを生成する手段と前記画像データおよび付加データを通信回線に送出する手段とを有する反応収集装置と、前記画像データおよび付加データを前記通信回線経由して受信し記録する手段と、該記録した画像データおよび付加データを再生する手段と、前記付加データの撮影時刻、受信データの装置Ｉ／Ｄ、視聴番組名から検索入力操作を行う操作部と、前記再生された付加データより前記検索入力された装置Ｉ／Ｄ、番組名などと一致する受信データのみを判別出力する再生データ判別部と、前記判別出力された再生データに該当する付加データを重畳し、所定の形式で再生出力する手段とを有する広告効果分析装置とで構成する。
【０００５】
さらに、前記通信回線経由で複数の前記反応収集装置から受信した画像データ、付加データなどは各々画像データメモリおよび付加データメモリに連続的に記録され、再生時には、操作部から検索入力された装置Ｉ／Ｄ、番組名などと一致する付加データに該当する受信データのみを選択的に出力する。
【０００６】
さらに、再生された画像データの人物輪郭の抽出など特徴画像の画像認識を行う画像認識部と、画像認識部が抽出する特徴画像の指定を行う特徴画像指定部と、抽出された特徴画像の数を計数する特徴画像計数部とを追加設置する。
【０００７】
【発明の実施の形態】
図１は本発明による広告効果確認システムの実施例のシステム図、図２は本発明による広告提示装置の実施例の要部のブロック図、図３は本発明による反応収集装置の実施例の要部のブロック図、図４は本発明による広告効果分析装置の実施例の要部のブロック図である。図１において、１は広告提示制御装置で、静止画像および動画画像などを記録再生し画像信号を生成出力する手段と、音声等の記録再生し音声信号を再生出力する手段と、広告番組表などの記録再生し番組データに基づいて広告番組を画像信号および音声信号として出力制御する手段と、他装置より外部Ｉ／Ｏもしくは通信手段などにより画像データ、音声データ、並びに番組データなどを入出力手段とを有する。２は４０〜６０型のＰＤＰなどの薄型デイスプレイパネルを有する表示部で、広告提示制御装置より出力される広告番組の画像を表示出力する。３は、表示部の左右に配置されたステレオスピーカなどの音声出力部で、広告提示制御装置より出力される広告番組の音声を音声出力する。
【０００８】
４は反応収集装置で、広告番組に視聴者の人数や表情などを撮像する超小型ＣＣＤカメラなどの撮像部５からの撮像画像データ、および、同視聴者の歓声や周囲の環境音などを集音する集音マイク６から取込んだ音声データ等を、各々のデータメモリに記憶する手段と、前述の広告提示制御装置より出力された番組データ、装置Ｉ／Ｄデータ、などの付加データを生成して、通信回線８などを経由して広告効果分析装置７に送出する手段とを有する。通信回線８には、多数の広告提示制御装置１’および反応収集装置４’が接続されている。
【０００９】
７は広告効果分析装置で、通信回線８経由で、多数の反応装置よりの画像データ、音声データ、および、付加データなどを受信する手段と、各々のデータを記録再生する手段と、記録したデータを提供番組別、広告提示装置のＩ／Ｄ別など視聴者の反応分析に必要な形式で再生する手段とを有する。
【００１０】
本システムの動作フロー概要を説明する。広告番組は多数の広告提示制御装置１、１’に予め記録しておき、定時的もしくはセンター装置（図示せず）よりの制御指令に基づき、表示部２および音声出力部３より、視聴者に提供される。表示部の近傍には撮像部５および集音マイク６が設置されており、視聴者の人数、性別、年代、表情、歓声や周囲環境音などの画像データおよび音声データを、反応収集装置４に番組データなどを付加して、収集記録する。センター装置の一部である広告効果分析装置７は、定時的もしくは必要に応じて、通信回線８経由で反応収集装置４より前述の収集記録した反応データを受信し、内部記録再生手段に連続記録する。広告反応分析時には、内部記録再生手段に連続記録された多数の反応収集装置４からの反応データを、分析パターンに基づいて選択的に再生し出力する。
【００１１】
広告提示制御装置の詳細動作を図２を用いて説明する。静止画像、動画像などの画像データは画像データメモリ１１に、ナレーションや効果音楽などは音声データメモリ１３に予め記録されている。この画像データメモリ１１および音声データメモリ１３は、ＶＴＲ、ＨＤＤ、ＤＶＤ−ＲＡＭ、半導体ディスクなどの記録再生装置もしくはＣＤ、ＣＤ−ＲＯＭ、ＤＶＤなどの再生装置などより選択される。画像データは、再生され、画像生成部１２で表示部２が必要とする画像信号に変換生成され、表示部２より広告番組として表示出力される。音声データは、音声再生部でアナログ音声信号に再生され、ステレオスピーカなどの音声出力部３より音声出力される。提示番組のタイトル、番組の記録時間、番組表、データメモリ上の記録ポジションなどの番組データは、番組メモリ１５に予め記録されている。操作部２０より広告番組提示開始の操作入力があると、制御部２２は番組メモリ１５より番組表をまず読み出し、時計部１７よりの日時データと照合して、一致する番組の検索指令を番組データ検索部１６に出す。番組データ検索部１６は、番組メモリ１５上の記録ポジションデータを参照して、画像データおよび音声データの再生制御指令を制御部２２経由で、画像データメモリ１１および音声データメモリ１３に出す。Ｉ／Ｏ部１８は反応収集装置４とのインターフェイス機能を有し、両データメモリの再生時に、番組データを反応収集装置４に出力する。通信制御部１９は通信回線８を経由して、番組データ、画像データおよび音声データなどを、センター装置から直接受信し、両データメモリの内容更新などを行って、番組配送の効率化を図っている。通信制御部を持たないシステムに於いては、反応収集装置４およびＩ／Ｏ部１８経由で、番組の配送が行われる。システムメモリ２１は、広告提示装置の動作シーケンスプログラムを記憶しており、制御部２２は該動作シーケンスプログラムに基づいて、装置内各機能部に制御指令を出す。
【００１２】
反応収集装置の詳細動作を図３を用いて説明する。撮像部５からの視聴者の画像信号は、画像信号用のＡ／Ｄ４１でデイジタル画像信号に変換される。デイジタル画像データの圧縮手段を有する画像データ生成部１２は、該デイジタル画像信号より、圧縮画像データを生成し、画像データメモリ４３に記録する。このデイジタル画像データの圧縮手段は、連続画像信号より１秒間もしくは１分間に１回などの間引きした静止画データとする手段、ＪＰＥＧ画像データおよびＭＰＥＧ画像データを生成し１／１０〜１／１２５の圧縮画像データとする手段、もしくは、ＧＩＦ画像データなどを生成する手段が選択可能であり、画像データの記録データ量および伝送データ量の圧縮に有効である。広告番組視聴者の音声による反応や設置場所の音響環境などは集音マイク６よりアナログ音声信号として入力し、Ａ／Ｄ５１によりデイジタル音声信号に変換する。該デイジタル音声信号は、音声データ生成部４５によりデイジタル音声圧縮手段を用いてデータ圧縮され、音声データが生成され、音声データメモリ４６に記録される。付加データ生成部４７は、広告提示装置１より通信回線８およびＩ／Ｏ部５１を経由して入力された番組データと、時計部４８が生成する日時データと、装置Ｉ／Ｄメモリ４９に予め記憶されている装置の番号、設置場所などの装置の属性を表す装置Ｉ／Ｄデータとを合成して、付加データを生成記録する。
【００１３】
通信制御部５２は、センター設置された広告効果分析装置７より、通信回線８を経由して、収集記録した反応データの送信指令を受けると、送信データ作成部５０に、データ送出指令を出す。送信データ作成部５０は、所定の送信データ形式で画像データ、音声データおよび付加データを再生編集し、通信制御部５２を経由して通信回線８に送出する。装置の手動操作は操作部５３より操作入力される。制御部５５は、システムメモリ５４に記憶されている動作シーケンスプログラムに基づいて、装置内の各部に制御指令を出す。
【００１４】
広告効果分析装置７の詳細動作を図４を用いて説明する。操作部９０より反応収集データの受信指令が入力されると、送信制御指令部７３は、通信制御部７１を経由して、複数もしくは単独の反応収集装置１、１’に反応データ送出指令を出す。通信制御部７１は、通信回線８経由で、収集した反応データを受信する。受信データ分離部７２は、該反応収集データより画像データ、音声データおよび付加データなどに分離し、画像データメモリ７４、音声データメモリ７５および付加データメモリ７７に各々記録する。記録再生制御部７６は、当該データメモリの記録再生制御を行う。
【００１５】
操作部９０より分析指令と検索のパラメータ（例えば、番組名、設置場所や装置Ｉ／Ｄ、時間帯など）が入力されると、記録再生制御部７６は該当記録部を断続的に再生出力する。再生データ判断部８０は、再生された付加データと操作入力された検索のパラメータが一致する反応データのみを抽出し、再生データメモリ７９に連続的に記録する。再生データメモリ７９は、画像データ、音声データおよび付加データが各々関係付けられて記録される。画像データメモリ７４は、デイジタルＶＴＲなどの磁気記録テープ媒体装置、ＨＤＤなどの磁気記録デイスク媒体装置、ＭＯドライブなどの磁気光記録デイスク媒体装置、または、ＤＶＤ−ＲＡＭやＣＤ−ＲＡＭドライブなどの光記録デイスク媒体装置などの選択が可能である。
【００１６】
広告効果の分析指令は、操作部９０より操作入力される。再生データ記録再生制御部７８は再生データメモリ７９を再生制御し、反応データを再生する。付加データ重畳部８１は、付加データおよび時計部８２が生成する日時データなどを再編集し、再生された画像データに重畳して、画像生成部８３に出力する。画像生成部８３は、付加データなどが重畳された画像データから、所定の形式の反応解析用画像データを生成し、画像表示部Ｄに必要な画像信号を生成出力する。音声再生部８４は、再生された音声データより、ヘッドホンＨなどの音声出力部に音声信号を再生出力する。制御部５５は、システムメモリ５４に記憶されている動作シーケンスプログラムに基づいて、装置内の各部に制御指令を出す。
【００１７】
さらに、本反応分析装置７に、プリントデータ作成部８５が設置され、広告効果分析用の補助資料を印刷出力するプリンターＰを接続し、補助資料として、画像データのイメージと付加データとで、所定の形式プリントデータを作成し、プリンター７に出力する。画像認識部８６は、再生された画像データの人物輪郭の抽出など特徴画像の画像認識を行う。特徴画像指定部は、画像認識部が抽出する特徴画像の指定を行い、記抽出された特徴画像の数は特徴画像計数部が計数し、プリントデータ作成部８５に出力する。
【００１８】
図５は反応解析用画像形式とプリントデータ作成部８５が作成する印刷出力データの説明図である。（イ）は反応解析用画像形式を示し、同一反応収集装置で且つ同一の広告番組毎に定時的、もしくは、マルチ画面形式のデータ形式、複数の応収集装置からの同一の広告番組毎の画像データを定時的に、マルチ画面形式のデータ形式、または、複数の広告番組毎の画像データを定時的に、マルチ画面形式のデータ形式などである。これらの再生画像より、分析者は時系列に整理された表示画像より必要とするデータを読み取ることが出来る。
【００１９】
（ロ）はプリントデータの印刷形式を表し、画像データメモリより再生した画像データから生成した静止画像イメージと付加データの内容とを時系列に配列する形式、または、画像データメモリより再生した画像データから生成した静止画像イメージと付加データの内容と特徴画像計数部が計数した特徴画像の数とを時系列に配列する形式などがある。
【００２０】
【発明の効果】
本発明は以上に説明した形態で実施され、以下に述べる効果を奏する。表示部および音声出力部より表示出力された広告番組による、視聴者の反応を撮像部で撮像し、画像データに変換記録し、該記録した画像データに付加データを重畳して、通信回線経由で、広告効果分析装置に送出し、該広告効果分析装置は複数の反応収集装置よりの受信データを記録し、広告効果の分析時には所定の形式で再生出力することが出来た。さらに、再生された画像データの人物輪郭の抽出など特徴画像の画像認識を行う画像認識部と画像認識部が抽出する特徴画像の指定を行う特徴画像指定部と抽出された特徴画像の数を計数する特徴画像計数部とを追加設置することにより、再生された画像データより特徴画像を認識出力し、該特徴画像の数を計数出力することが出来た。これらにより、複数の広告提示装置の設置場所に視聴者の反応を収集する装置を配備し、収集したデータを通信回線経由で分析装置に伝送記録し、該収集データを所定の形式で再生出力する広告効果確認システムの構築が出来た。
【図面の簡単な説明】
【図１】本発明による広告効果確認システムの実施例のシステム図である。
【図２】本発明による広告提示装置の実施例の要部のブロック図である。
【図３】本発明による反応収集装置の実施例の要部のブロック図である。
【図４】本発明による広告効果分析装置の実施例の要部のブロック図である。
【図５】本発明による反応解析用画像形式とプリントデータ作成部が作成する印刷出力データの説明図である。
【符号の説明】
１ 広告提示制御装置
２ 表示部
３ 音声出力部
４ 反応収集装置
５ 撮像部
６ マイク
７ 広告効果分析装置
８ 通信回線
１１、４３、７４ 画像データメモリ
１２、８３ 画像生成部
１３、４６、７５ 音声データメモリ
１４、８４ 音声再生部
１５ 番組メモリ
１６ 番組データ検索部
１７、４８、８２ 時計部
１８、５１ Ｉ／Ｏ部
１９、５２、７１ 通信制御部
２０、５３、９０ 操作部
２１、５４、９１ システムメモリ
２２、５５、９２ 制御部
４１、４４ Ａ／Ｄ
４２ 画像データ生成部
４５ 音声データ生成部
４７ 付加データ生成部
４９ 装置Ｉ／Ｄメモリ
５０ 送信データ作成部
７２ 受信データ分離部
７３ 送信制御指令部
７６ 記録再生制御部
７８ 再生データ記録再生制御部
７９ 再生データメモリ
８０ 再生データ判別部
８１ 付加データ重畳部
８５ プリントデータ生成部
８６ 画像認識部
８７ 特徴画像指定部
８８ 特徴画像計数部
Ｄ 画像表示部
Ｈ ヘッドホン
Ｐ プリンター
【図１】
0003757584.tif 000002
【図２】
0003757584.tif 000003
【図３】
0003757584.tif 000004
【図４】
0003757584.tif 000005
【図５】
0003757584.tif 000006